(57)【要約】      （修正有）【課題】構造が簡単で、操作が便利で、修理が便利で、二つの方式で猫をじゃらし、猫に刻々に遊ぶ興味を維持させ、飼い猫の寂しさを紛らわす猫用玩具を提供する。【解決手段】台座１２を含み、台座１２の頂端には頂ブロック１１が回転できるように設置され、台座１２の中には主チャンバ１５が設置され、主チャンバ１５の中には猫じゃらし１４が回転できるように設置され、主チャンバ１５の中には猫じゃらし１４を収納できる収納装置１００が設置され、主チャンバ１５の中には猫じゃらし１４を揺らせる揺れ装置２００が設置される猫用玩具。【選択図】図１
2020174647.tif 000002
【特許請求の範囲】
【請求項１】
猫用玩具であって、台座を含み、前記台座の頂端には頂ブロックが回転できるように設置され、前記台座の中には主チャンバが設置され、前記主チャンバの中には猫じゃらしが回転できるように設置され、前記主チャンバの中には前記猫じゃらしを収納できる収納装置が設置され、前記主チャンバの中には前記猫じゃらしを揺らせる揺れ装置が設置され、前記主チャンバの右壁の中には動力チャンバが設置され、前記主チャンバの右壁の中には変速チャンバが設置され、前記変速チャンバの中には変速装置が設置され、前記主チャンバの頂壁の中には回転チャンバが設置され、前記回転チャンバの中には前記頂ブロックを回転させる回転装置が設置され、前記頂ブロックの中には揺動チャンバが設置され、前記揺動チャンバの中にはレーザを放射するレーザーが設置され、前記揺動チャンバの右壁の中には往復チャンバが設置され、前記往復チャンバの中には前記レーザーを回転させる揺動装置が設置され、前記動力チャンバの中には動力装置が設置され、前記動力装置は前記動力チャンバの中にスライドできるように設置されたスライダを含み、前記スライダの中にはモーターが設置され、前記動力チャンバの中には前記モーターと伝動できるように連結された動力軸が設置され、前記動力軸の底端には動力歯車が設置され、前記動力チャンバの頂壁の中には第一電磁チャンバが設置され、前記第一電磁チャンバの中には前記スライダと固定的に連結された第一永久磁石がスライドできるように設置され、前記第一電磁チャンバの左壁の中には第一電磁石が設置され、前記第一電磁石と前記第一永久磁石との間には第一撥条が弾性的に連結されており、前記動力装置は前記変速装置によって前記レーザーを揺動連動させ、又は前記収納装置によって猫じゃらしを伸び出し、猫をじゃらすことができることを特徴とする猫用玩具。
【請求項２】
前記収納装置は前記主チャンバの中に設置された収納軸を含み、前記収納軸の後端には収納棒が設置され、前記収納棒と前記猫じゃらしとの間が伸び出し棒によってヒンジで連結され、前記収納軸の前端には従動歯車が設置され、前記主チャンバの中には縦軸が設置され、前記縦軸の後端には前記従動歯車と噛合した駆動歯車が設置され、前記縦軸の前端には後傘歯車が設置され、前記主チャンバの中にはスプライン軸が設置され、前記スプライン軸の底端には前記動力チャンバの中に位置しかつ前記動力歯車と噛合した左歯車が設置され、前記主チャンバの中には前記スプライン軸の外壁に位置したスライド軸が設置され、前記スライド軸の頂端には前記後傘歯車と噛合した上傘歯車が設置され、前記スライド軸の底端には下傘歯車が設置され、前記スライド軸の外壁には回転ブロックが回転できるように設置され、前記主チャンバの右壁の中には第二電磁チャンバが設置され、前記第二電磁チャンバの中には前記回転ブロックと固定的に連結された第二永久磁石がスライドできるように設置され、前記第二電磁チャンバの頂壁の中には第二電磁石が設置され、前記第二電磁石と前記第二永久磁石との間には第二撥条が弾性的に設置されており、前記収納装置は前記猫じゃらしを収納し又は伸びさせることを特徴とする請求項１に記載の猫用玩具。
【請求項３】
前記揺れ装置は前記主チャンバの中に設置された上軸を含み、前記上軸の後端には前記収納棒と接触したカムが設置され、前記上軸の前端には上プーリが設置され、前記主チャンバの中には下軸が設置され、前記下軸の前端には下プーリが設置され、前記下プーリと前記上プーリとの間には第一ベルトが伝動できるように設置され、前記下軸の後端には前傘歯車が設置され、前記主チャンバの中には横軸が設置され、前記横軸の左端には前記前傘歯車と噛合した左傘歯車が設置され、前記横軸の右端には前記下傘歯車と噛合した右傘歯車が設置されており、前記揺れ装置は前記猫じゃらしを断続的に揺リ、猫をじゃらすことを特徴とする請求項１に記載の猫用玩具。
【請求項４】
前記変速装置は前記変速チャンバの中に設置された駆動軸を含み、前記駆動軸の底端には前記動力チャンバの中に位置した右歯車が設置され、前記駆動軸の頂端には駆動輪が設置され、前記変速チャンバの中には従動軸が設置され、前記従動軸の頂端には前記回転チャンバの中に位置した回転盤が設置され、前記従動軸の外壁には前記回転チャンバの中に位置した駆動プーリが設置され、前記従動軸の底端には従動輪が設置され、前記変速チャンバの頂壁の中には伝動チャンバが設置され、前記従動軸の外壁には前記伝動チャンバの中に位置した左プーリが設置され、前記伝動軸の中には変速軸が設置され、前記変速軸の頂端には右プーリが設置され、前記右プーリと前記左プーリとの間には第二ベルトが伝動できるように設置され、前記変速軸の底端には変速盤が設置され、前記伝動チャンバの底壁の中にはスライドチャンバが設置され、前記スライドチャンバの中にはスライド棒がスライドできるように設置され、前記スライド棒の底端には前記変速チャンバの中に位置しかつ前記従動輪及び前記駆動輪と接触した伝動輪が設置され、前記変速盤と前記スライド棒との間が縄によって固定的に連結され、前記スライド棒と前記スライドチャンバの底壁との間には第三撥条が弾性的に設置されており、前記変速装置は前記従動軸の転速を変えられることを特徴とする請求項１に記載の猫用玩具。
【請求項５】
前記回転装置には前記回転チャンバの中に設置されかつ前記頂ブロックと固定的に連結された中空軸が含まれ、前記中空軸の底端には回転歯車が設置され、前記回転チャンバの中には前記回転歯車と噛合したラックがスライドできるように設置され、前記ラックと前記回転盤の頂壁との間が連結棒によってヒンジで連結されており、前記揺動装置は前記往復チャンバの中に設置された中心軸を含み、前記中心軸の頂端には冠歯車が設置され、前記中心軸の底端には前記回転チャンバの中に位置した従動プーリが設置され、前記従動プーリと前記駆動プーリとの間には第三ベルトが伝動できるように設置され、前記揺動チャンバの中には前記レーザーと固定的に連結された揺動軸が設置され、前記揺動軸の前端には従動傘歯車が設置され、前記往復チャンバの中には往復軸が設置され、前記往復軸往復軸の左端には前記揺動チャンバの中に位置しかつ前記従動傘歯車と噛合した駆動傘歯車が設置され、前記往復軸の外壁には前記往復チャンバの中に位置した正歯車が設置され、前記往復軸の右端には前記冠歯車と噛合した反歯車が設置されており、前記回転装置と前記揺動装置とが前記レーザーのレーザの軌跡を不規律に変え、猫をじゃらすことができることを特徴とする請求項１に記載の猫用玩具。
【発明の詳細な説明】
【技術分野】
【０００１】
本発明はペット玩具の分野を取り上げて、具体的には猫用玩具である。
【背景技術】
【０００２】
寂しさを紛らわすために猫を飼う人が多く、ところが生活のリズムが早すぎて、猫と遊べなく、それ故にペット玩具は猫の心の寂しさを紛らわせ、更にある程度にペットの感情の需要を満足させ、そのため、本発明の旨は自動的に猫をじゃらす猫用玩具を設計することである。
【先行技術文献】
【特許文献】
【０００３】
【特許文献１】中国特許出願公開第１０５９１８１５３号明細書
【発明の概要】
【発明が解決しようとする課題】
【０００４】
本発明の目的は猫用玩具を提供し、下乳の技術の上記欠点を克服できる。
【課題を解決するための手段】
【０００５】
本発明の猫用玩具は、台座を含み、前記台座の頂端には頂ブロックが回転できるように設置され、前記台座の中には主チャンバが設置され、前記主チャンバの中には猫じゃらしが回転できるように設置され、前記主チャンバの中には前記猫じゃらしを収納できる収納装置が設置され、前記主チャンバの中には前記猫じゃらしを揺らせる揺れ装置が設置され、前記主チャンバの右壁の中には動力チャンバが設置され、前記主チャンバの右壁の中には変速チャンバが設置され、前記変速チャンバの中には変速装置が設置され、前記主チャンバの頂壁の中には回転チャンバが設置され、前記回転チャンバの中には前記頂ブロックを回転させる回転装置が設置され、前記頂ブロックの中には揺動チャンバが設置され、前記揺動チャンバの中にはレーザを放射するレーザーが設置され、前記揺動チャンバの右壁の中には往復チャンバが設置され、前記往復チャンバの中には前記レーザーを回転させる揺動装置が設置され、前記動力チャンバの中には動力装置が設置され、前記動力装置は前記動力チャンバの中にスライドできるように設置されたスライダを含み、前記スライダの中にはモーターが設置され、前記動力チャンバの中には前記モーターと伝動できるように連結された動力軸が設置され、前記動力軸の底端には動力歯車が設置され、前記動力チャンバの頂壁の中には第一電磁チャンバが設置され、前記第一電磁チャンバの中には前記スライダと固定的に連結された第一永久磁石がスライドできるように設置され、前記第一電磁チャンバの左壁の中には第一電磁石が設置され、前記第一電磁石と前記第一永久磁石との間には第一撥条が弾性的に連結されており、前記動力装置は前記変速装置によって前記レーザーを揺動連動させ、又は前記収納装置によって猫じゃらしを伸び出し、猫をじゃらすことができる。
【０００６】
更なる技術方案、前記収納装置は前記主チャンバの中に設置された収納軸を含み、前記収納軸の後端には収納棒が設置され、前記収納棒と前記猫じゃらしとの間が伸び出し棒によってヒンジで連結され、前記収納軸の前端には従動歯車が設置され、前記主チャンバの中には縦軸が設置され、前記縦軸の後端には前記従動歯車と噛合した駆動歯車が設置され、前記縦軸の前端には後傘歯車が設置され、前記主チャンバの中にはスプライン軸が設置され、前記スプライン軸の底端には前記動力チャンバの中に位置しかつ前記動力歯車と噛合した左歯車が設置され、前記主チャンバの中には前記スプライン軸の外壁に位置したスライド軸が設置され、前記スライド軸の頂端には前記後傘歯車と噛合した上傘歯車が設置され、前記スライド軸の底端には下傘歯車が設置され、前記スライド軸の外壁には回転ブロックが回転できるように設置され、前記主チャンバの右壁の中には第二電磁チャンバが設置され、前記第二電磁チャンバの中には前記回転ブロックと固定的に連結された第二永久磁石がスライドできるように設置され、前記第二電磁チャンバの頂壁の中には第二電磁石が設置され、前記第二電磁石と前記第二永久磁石との間には第二撥条が弾性的に設置されており、前記収納装置は前記猫じゃらしを収納し又は伸びさせる。
【０００７】
更なる技術方案、前記揺れ装置は前記主チャンバの中に設置された上軸を含み、前記上軸の後端には前記収納棒と接触したカムが設置され、前記上軸の前端には上プーリが設置され、前記主チャンバの中には下軸が設置され、前記下軸の前端には下プーリが設置され、前記下プーリと前記上プーリとの間には第一ベルトが伝動できるように設置され、前記下軸の後端には前傘歯車が設置され、前記主チャンバの中には横軸が設置され、前記横軸の左端には前記前傘歯車と噛合した左傘歯車が設置され、前記横軸の右端には前記下傘歯車と噛合した右傘歯車が設置されており、前記揺れ装置は前記猫じゃらしを断続的に揺リ、猫をじゃらす。
【０００８】
更なる技術方案、前記変速装置は前記変速チャンバの中に設置された駆動軸を含み、前記駆動軸の底端には前記動力チャンバの中に位置した右歯車が設置され、前記駆動軸の頂端には駆動輪が設置され、前記変速チャンバの中には従動軸が設置され、前記従動軸の頂端には前記回転チャンバの中に位置した回転盤が設置され、前記従動軸の外壁には前記回転チャンバの中に位置した駆動プーリが設置され、前記従動軸の底端には従動輪が設置され、前記変速チャンバの頂壁の中には伝動チャンバが設置され、前記従動軸の外壁には前記伝動チャンバの中に位置した左プーリが設置され、前記伝動軸の中には変速軸が設置され、前記変速軸の頂端には右プーリが設置され、前記右プーリと前記左プーリとの間には第二ベルトが伝動できるように設置され、前記変速軸の底端には変速盤が設置され、前記伝動チャンバの底壁の中にはスライドチャンバが設置され、前記スライドチャンバの中にはスライド棒がスライドできるように設置され、前記スライド棒の底端には前記変速チャンバの中に位置しかつ前記従動輪及び前記駆動輪と接触した伝動輪が設置され、前記変速盤と前記スライド棒との間が縄によって固定的に連結され、前記スライド棒と前記スライドチャンバの底壁との間には第三撥条が弾性的に設置されており、前記変速装置は前記従動軸の転速を変えられる。
【０００９】
更なる技術方案、前記回転装置には前記回転チャンバの中に設置されかつ前記頂ブロックと固定的に連結された中空軸が含まれ、前記中空軸の底端には回転歯車が設置され、前記回転チャンバの中には前記回転歯車と噛合したラックがスライドできるように設置され、前記ラックと前記回転盤の頂壁との間が連結棒によってヒンジで連結されており、前記揺動装置は前記往復チャンバの中に設置された中心軸を含み、前記中心軸の頂端には冠歯車が設置され、前記中心軸の底端には前記回転チャンバの中に位置した従動プーリが設置され、前記従動プーリと前記駆動プーリとの間には第三ベルトが伝動できるように設置され、前記揺動チャンバの中には前記レーザーと固定的に連結された揺動軸が設置され、前記揺動軸の前端には従動傘歯車が設置され、前記往復チャンバの中には往復軸が設置され、前記往復軸往復軸の左端には前記揺動チャンバの中に位置しかつ前記従動傘歯車と噛合した駆動傘歯車が設置され、前記往復軸の外壁には前記往復チャンバの中に位置した正歯車が設置され、前記往復軸の右端には前記冠歯車と噛合した反歯車が設置されており、前記回転装置と前記揺動装置とが前記レーザーのレーザの軌跡を不規律に変え、猫をじゃらすことができる。
【発明の効果】
【００１０】
本発明の有益な効果は下記の通りである：
【００１１】
本発明は構造が簡単で、操作が便利で、修理が便利で、二つの方式で猫をじゃらし、猫に刻々に遊ぶ興味を維持させ、飼い猫のの寂しさを紛らわし、そのため、この設備は高い使用と普及する価値がある。
【図面の簡単な説明】
【００１２】
発明実施例或いは現有技術の技術プランをもっとはっきり説明できるため、以下は実施例或いは現有技術の説明に使われる付図を簡単に紹介する。
【図１】図１は本発明の猫用玩具の初期状態の全体構造模式図
【図２】図２は本発明の猫用玩具の猫じゃらしが伸びている時の全体構造模式図
【図３】図３は図１の中のＡ−Ａの構造模式図
【図４】図４は図１のＢの構造模式図
【図５】図５は図１のＣの構造模式図
【図６】図６は図５のＤの構造模式図
【発明を実施するための形態】
【００１３】
以下は上記附図について本発明にを詳しく説明し、その中、便利に叙述するように、後文に出る方位を下記の通りに規定する：後文に出る上下左右前後方向は図１本体の投影関係の上下左右前後方向と一致する。
【００１４】
図１−６のように、本発明の猫用玩具は、台座１２を含み、前記台座１２の頂端には頂ブロック１１が回転できるように設置され、前記台座１２の中には主チャンバ１５が設置され、前記主チャンバ１５の中には猫じゃらし１４が回転できるように設置され、前記主チャンバ１５の中には前記猫じゃらし１４を収納できる収納装置１００が設置され、前記主チャンバ１５の中には前記猫じゃらし１４を揺らせる揺れ装置２００が設置され、前記主チャンバ１５の右壁の中には動力チャンバ５４が設置され、前記主チャンバ１５の右壁の中には変速チャンバ１７が設置され、前記変速チャンバ１７の中には変速装置３００が設置され、前記主チャンバ１５の頂壁の中には回転チャンバ３８が設置され、前記回転チャンバ３８の中には前記頂ブロック１１を回転させる回転装置４００が設置され、前記頂ブロック１１の中には揺動チャンバ９９が設置され、前記揺動チャンバ９９の中にはレーザを放射するレーザー２４が設置され、前記揺動チャンバ９９の右壁の中には往復チャンバ３０が設置され、前記往復チャンバ３０の中には前記レーザー２４を回転させる揺動装置５００が設置され、前記動力チャンバ５４の中には動力装置６００が設置され、前記動力装置６００は前記動力チャンバ５４の中にスライドできるように設置されたスライダ７８を含み、前記スライダ７８の中にはモーター１９が設置され、前記動力チャンバ５４の中には前記モーター１９と伝動できるように連結された動力軸５６が設置され、前記動力軸５６の底端には動力歯車５７が設置され、前記動力チャンバ５４の頂壁の中には第一電磁チャンバ８１が設置され、前記第一電磁チャンバ８１の中には前記スライダ７８と固定的に連結された第一永久磁石７９がスライドできるように設置され、前記第一電磁チャンバ８１の左壁の中には第一電磁石８２が設置され、前記第一電磁石８２と前記第一永久磁石７９との間には第一撥条８０が弾性的に連結されており、前記動力装置６００は前記変速装置３００によって前記レーザー２４を揺動連動させ、又は前記収納装置１００によって猫じゃらし１４を伸び出し、猫をじゃらすことができる。
【００１５】
有益なように、前記収納装置１００は前記主チャンバ１５の中に設置された収納軸７７を含み、前記収納軸７７の後端には収納棒２２が設置され、前記収納棒２２と前記猫じゃらし１４との間が伸び出し棒２３によってヒンジで連結され、前記収納軸７７の前端には従動歯車７４が設置され、前記主チャンバ１５の中には縦軸７３が設置され、前記縦軸７３の後端には前記従動歯車７４と噛合した駆動歯車７１が設置され、前記縦軸７３の前端には後傘歯車７２が設置され、前記主チャンバ１５の中にはスプライン軸５９が設置され、前記スプライン軸５９の底端には前記動力チャンバ５４の中に位置しかつ前記動力歯車５７と噛合した左歯車５８が設置され、前記主チャンバ１５の中には前記スプライン軸５９の外壁に位置したスライド軸６９が設置され、前記スライド軸６９の頂端には前記後傘歯車７２と噛合した上傘歯車７０が設置され、前記スライド軸６９の底端には下傘歯車６６が設置され、前記スライド軸６９の外壁には回転ブロック６８が回転できるように設置され、前記主チャンバ１５の右壁の中には第二電磁チャンバ８５が設置され、前記第二電磁チャンバ８５の中には前記回転ブロック６８と固定的に連結された第二永久磁石８３がスライドできるように設置され、前記第二電磁チャンバ８５の頂壁の中には第二電磁石８６が設置され、前記第二電磁石８６と前記第二永久磁石８３との間には第二撥条８４が弾性的に設置されており、前記収納装置１００は前記猫じゃらし１４を収納し又は伸びさせる。
【００１６】
有益なように、前記揺れ装置２００は前記主チャンバ１５の中に設置された上軸７５を含み、前記上軸７５の後端には前記収納棒２２と接触したカム２１が設置され、前記上軸７５の前端には上プーリ７６が設置され、前記主チャンバ１５の中には下軸６４が設置され、前記下軸６４の前端には下プーリ６３が設置され、前記下プーリ６３と前記上プーリ７６との間には第一ベルト６７が伝動できるように設置され、前記下軸６４の後端には前傘歯車６２が設置され、前記主チャンバ１５の中には横軸６５が設置され、前記横軸６５の左端には前記前傘歯車６２と噛合した左傘歯車６１が設置され、前記横軸６５の右端には前記下傘歯車６６と噛合した右傘歯車６０が設置されており、前記揺れ装置２００は前記猫じゃらし１４を断続的に揺リ、猫をじゃらす。
【００１７】
有益なように、前記変速装置３００は前記変速チャンバ１７の中に設置された駆動軸２０を含み、前記駆動軸２０の底端には前記動力チャンバ５４の中に位置した右歯車５５が設置され、前記駆動軸２０の頂端には駆動輪１８が設置され、前記変速チャンバ１７の中には従動軸１３が設置され、前記従動軸１３の頂端には前記回転チャンバ３８の中に位置した回転盤３７が設置され、前記従動軸１３の外壁には前記回転チャンバ３８の中に位置した駆動プーリ３９が設置され、前記従動軸１３の底端には従動輪１６が設置され、前記変速チャンバ１７の頂壁の中には伝動チャンバ４７が設置され、前記従動軸１３の外壁には前記伝動チャンバ４７の中に位置した左プーリ４３が設置され、前記伝動軸４７の中には変速軸４６が設置され、前記変速軸４６の頂端には右プーリ４５が設置され、前記右プーリ４５と前記左プーリ４３との間には第二ベルト４４が伝動できるように設置され、前記変速軸４６の底端には変速盤４８が設置され、前記伝動チャンバ４７の底壁の中にはスライドチャンバ５２が設置され、前記スライドチャンバ５２の中にはスライド棒５０がスライドできるように設置され、前記スライド棒５０の底端には前記変速チャンバ１７の中に位置しかつ前記従動輪１６及び前記駆動輪１８と接触した伝動輪５３が設置され、前記変速盤４８と前記スライド棒５０との間が縄４９によって固定的に連結され、前記スライド棒５０と前記スライドチャンバ５２の底壁との間には第三撥条５１が弾性的に設置されており、前記変速装置３００は前記従動軸１３の転速を変えられる。
【００１８】
有益なように、前記回転装置４００には前記回転チャンバ３８の中に設置されかつ前記頂ブロック１１と固定的に連結された中空軸３４が含まれ、前記中空軸３４の底端には回転歯車３５が設置され、前記回転チャンバ３８の中には前記回転歯車３５と噛合したラック４２がスライドできるように設置され、前記ラック４２と前記回転盤３７の頂壁との間が連結棒３６によってヒンジで連結されており、前記揺動装置５００は前記往復チャンバ３０の中に設置された中心軸３３を含み、前記中心軸３３の頂端には冠歯車３２が設置され、前記中心軸３３の底端には前記回転チャンバ３８の中に位置した従動プーリ４１が設置され、前記従動プーリ４１と前記駆動プーリ３９との間には第三ベルト４０が伝動できるように設置され、前記揺動チャンバ９９の中には前記レーザー２４と固定的に連結された揺動軸２６が設置され、前記揺動軸２６の前端には従動傘歯車２５が設置され、前記往復チャンバ３０の中には往復軸２８が設置され、前記往復軸往復軸２８の左端には前記揺動チャンバ９９の中に位置しかつ前記従動傘歯車２５と噛合した駆動傘歯車２７が設置され、前記往復軸２８の外壁には前記往復チャンバ３０の中に位置した正歯車２９が設置され、前記往復軸２８の右端には前記冠歯車３２と噛合した反歯車３１が設置されており、前記回転装置４００と前記揺動装置５００とが前記レーザー２４のレーザの軌跡を不規律に変え、猫をじゃらすことができる。
【００１９】
本発明の設備を使う時、モーター１９が作動して動力軸５６によって動力歯車５７を回転連動させ、それにより左歯車５８と、スプライン軸５９と、スライド軸６９と、上傘歯車７０と、後傘歯車７２と、縦軸７３と、駆動歯車７１と、従動歯車７４と、収納軸７７によって収納棒２２を回転連動させ、それにより伸び出し棒２３によって猫じゃらし１４を伸び出し、そして、第二電磁石８６が通電して第二永久磁石８３と、回転ブロック６８によって下傘歯車６６を下にスライド連動させ、下傘歯車６６と右傘歯車６０とが噛合し、それによりスライド軸６９が下傘歯車６６と、右傘歯車６０と、横軸６５と、左傘歯車６１と、前傘歯車６２と、下軸６４と、下プーリ６３と、上プーリ７６と、上軸７５とによってカム２１を回転連動させ、それにより猫じゃらし１４を連動させて断続的に揺れさせ、
十または二十分後、第一電磁石８２が通電して第一永久磁石７９と、スライダ７８によってモーター１９を右に移動連動させ、動力歯車５７と右歯車５５とが噛合し、それにより動力歯車５７が右歯車５５と、駆動軸２０と、駆動輪１８と、伝動輪５３と、従動輪１６と、従動軸１３と、回転盤３７と、連結棒３６と、ラック４２と、回転歯車３５と、中空軸３４によって頂ブロック１１を往復に回転連動させ、同時に、従動軸１３が駆動プーリ３９と、従動プーリ４１と、中心軸３３と、冠歯車３２と、正歯車２９（反歯車３１）と、往復軸２８と、駆動傘歯車２７と、従動傘歯車２５と、揺動軸２６によってレーザー２４を上下に揺動連動させ、レーザー２４の発射したレーザの軌跡を変え、猫をじゃらす。
【００２０】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【図１】
2020174647.tif 000003
【図２】
2020174647.tif 000004
【図３】
2020174647.tif 000005
【図４】
2020174647.tif 000006
【図５】
2020174647.tif 000007
【図６】
2020174647.tif 000008
【手続補正書】
【提出日】令和1年7月16日(2019.7.16)
【手続補正１】
【補正対象書類名】特許請求の範囲
【補正対象項目名】全文
【補正方法】変更
【補正の内容】
【特許請求の範囲】
【請求項１】
猫用玩具であって、台座を含み、前記台座の頂端には頂ブロックが回転できるように設置され、前記台座の中には主空間が設置され、前記主空間の中には猫じゃらしが回転できるように設置され、前記主空間の中には前記猫じゃらしを収納できる収納装置が設置され、前記主空間の中には前記猫じゃらしを揺らせる揺れ装置が設置され、前記主空間の右壁の中には動力空間が設置され、前記主空間の右壁の中には変速空間が設置され、前記変速空間の中には変速装置が設置され、前記主空間の頂壁の中には回転空間が設置され、前記回転空間の中には前記頂ブロックを回転させる回転装置が設置され、前記頂ブロックの中には揺動空間が設置され、前記揺動空間の中にはレーザを放射するレーザーが設置され、前記揺動空間の右壁の中には往復空間が設置され、前記往復空間の中には前記レーザーを回転させる揺動装置が設置され、前記動力空間の中には動力装置が設置され、前記動力装置は前記動力空間の中にスライドできるように設置されたスライダを含み、前記スライダの中にはモーターが設置され、前記動力空間の中には前記モーターと伝動できるように連結された動力軸が設置され、前記動力軸の底端には動力歯車が設置され、前記動力空間の頂壁の中には第一電磁空間が設置され、前記第一電磁空間の中には前記スライダと固定的に連結された第一永久磁石がスライドできるように設置され、前記第一電磁空間の左壁の中には第一電磁石が設置され、前記第一電磁石と前記第一永久磁石との間には第一撥条が弾性的に連結されており、前記動力装置は前記変速装置によって前記レーザーを揺動連動させ、又は前記収納装置によって猫じゃらしを伸び出し、猫をじゃらすことができることを特徴とする猫用玩具。
【請求項２】
前記収納装置は前記主空間の中に設置された収納軸を含み、前記収納軸の後端には収納棒が設置され、前記収納棒と前記猫じゃらしとの間が伸び出し棒によってヒンジで連結され、前記収納軸の前端には従動歯車が設置され、前記主空間の中には縦軸が設置され、前記縦軸の後端には前記従動歯車と噛合した駆動歯車が設置され、前記縦軸の前端には後傘歯車が設置され、前記主空間の中にはスプライン軸が設置され、前記スプライン軸の底端には前記動力空間の中に位置しかつ前記動力歯車と噛合した左歯車が設置され、前記主空間の中には前記スプライン軸の外壁に位置したスライド軸が設置され、前記スライド軸の頂端には前記後傘歯車と噛合した上傘歯車が設置され、前記スライド軸の底端には下傘歯車が設置され、前記スライド軸の外壁には回転ブロックが回転できるように設置され、前記主空間の右壁の中には第二電磁空間が設置され、前記第二電磁空間の中には前記回転ブロックと固定的に連結された第二永久磁石がスライドできるように設置され、前記第二電磁空間の頂壁の中には第二電磁石が設置され、前記第二電磁石と前記第二永久磁石との間には第二撥条が弾性的に設置されており、前記収納装置は前記猫じゃらしを収納し又は伸びさせることを特徴とする請求項１に記載の猫用玩具。
【請求項３】
前記揺れ装置は前記主空間の中に設置された上軸を含み、前記上軸の後端には前記収納棒と接触したカムが設置され、前記上軸の前端には上プーリが設置され、前記主空間の中には下軸が設置され、前記下軸の前端には下プーリが設置され、前記下プーリと前記上プーリとの間には第一ベルトが伝動できるように設置され、前記下軸の後端には前傘歯車が設置され、前記主空間の中には横軸が設置され、前記横軸の左端には前記前傘歯車と噛合した左傘歯車が設置され、前記横軸の右端には前記下傘歯車と噛合した右傘歯車が設置されており、前記揺れ装置は前記猫じゃらしを断続的に揺リ、猫をじゃらすことを特徴とする請求項２に記載の猫用玩具。
【請求項４】
前記変速装置は前記変速空間の中に設置された駆動軸を含み、前記駆動軸の底端には前記動力空間の中に位置した右歯車が設置され、前記駆動軸の頂端には駆動輪が設置され、前記変速空間の中には従動軸が設置され、前記従動軸の頂端には前記回転空間の中に位置した回転盤が設置され、前記従動軸の外壁には前記回転空間の中に位置した駆動プーリが設置され、前記従動軸の底端には従動輪が設置され、前記変速空間の頂壁の中には伝動空間が設置され、前記従動軸の外壁には前記伝動空間の中に位置した左プーリが設置され、前記伝動空間の中には変速軸が設置され、前記変速軸の頂端には右プーリが設置され、前記右プーリと前記左プーリとの間には第二ベルトが伝動できるように設置され、前記変速軸の底端には変速盤が設置され、前記伝動空間の底壁の中にはスライド空間が設置され、前記スライド空間の中にはスライド棒がスライドできるように設置され、前記スライド棒の底端には前記変速空間の中に位置しかつ前記従動輪及び前記駆動輪と接触した伝動輪が設置され、前記変速盤と前記スライド棒との間が縄によって固定的に連結され、前記スライド棒と前記スライド空間の底壁との間には第三撥条が弾性的に設置されており、前記変速装置は前記従動軸の転速を変えられることを特徴とする請求項１に記載の猫用玩具。
【請求項５】
前記回転装置には前記回転空間の中に設置されかつ前記頂ブロックと固定的に連結された中空軸が含まれ、前記中空軸の底端には回転歯車が設置され、前記回転空間の中には前記回転歯車と噛合したラックがスライドできるように設置され、前記ラックと前記回転盤の頂壁との間が連結棒によってヒンジで連結されており、前記揺動装置は前記往復空間の中に設置された中心軸を含み、前記中心軸の頂端には冠歯車が設置され、前記中心軸の底端には前記回転空間の中に位置した従動プーリが設置され、前記従動プーリと前記駆動プーリとの間には第三ベルトが伝動できるように設置され、前記揺動空間の中には前記レーザーと固定的に連結された揺動軸が設置され、前記揺動軸の前端には従動傘歯車が設置され、前記往復空間の中には往復軸が設置され、前記往復軸の左端には前記揺動空間の中に位置しかつ前記従動傘歯車と噛合した駆動傘歯車が設置され、前記往復軸の外壁には前記往復空間の中に位置した正歯車が設置され、前記往復軸の右端には前記冠歯車と噛合した反歯車が設置されており、前記回転装置と前記揺動装置とが前記レーザーのレーザの軌跡を不規律に変え、猫をじゃらすことができることを特徴とする請求項４に記載の猫用玩具。
【手続補正２】
【補正対象書類名】明細書
【補正対象項目名】全文
【補正方法】変更
【補正の内容】
【発明の詳細な説明】
【技術分野】
【０００１】
本発明はペット玩具の分野を取り上げて、具体的には猫用玩具である。
【背景技術】
【０００２】
寂しさを紛らわすために猫を飼う人が多く、ところが生活のリズムが早すぎて、猫と遊べなく、それ故にペット玩具は猫の心の寂しさを紛らわせ、更にある程度にペットの感情の需要を満足させ、そのため、本発明の旨は自動的に猫をじゃらす猫用玩具を設計することである。
【先行技術文献】
【特許文献】
【０００３】
【特許文献１】中国特許出願公開第１０５９１８１５３号明細書
【発明の概要】
【発明が解決しようとする課題】
【０００４】
本発明の目的は猫用玩具を提供し、下乳の技術の上記欠点を克服できる。
【課題を解決するための手段】
【０００５】
本発明の猫用玩具は、台座を含み、前記台座の頂端には頂ブロックが回転できるように設置され、前記台座の中には主空間が設置され、前記主空間の中には猫じゃらしが回転できるように設置され、前記主空間の中には前記猫じゃらしを収納できる収納装置が設置され、前記主空間の中には前記猫じゃらしを揺らせる揺れ装置が設置され、前記主空間の右壁の中には動力空間が設置され、前記主空間の右壁の中には変速空間が設置され、前記変速空間の中には変速装置が設置され、前記主空間の頂壁の中には回転空間が設置され、前記回転空間の中には前記頂ブロックを回転させる回転装置が設置され、前記頂ブロックの中には揺動空間が設置され、前記揺動空間の中にはレーザを放射するレーザーが設置され、前記揺動空間の右壁の中には往復空間が設置され、前記往復空間の中には前記レーザーを回転させる揺動装置が設置され、前記動力空間の中には動力装置が設置され、前記動力装置は前記動力空間の中にスライドできるように設置されたスライダを含み、前記スライダの中にはモーターが設置され、前記動力空間の中には前記モーターと伝動できるように連結された動力軸が設置され、前記動力軸の底端には動力歯車が設置され、前記動力空間の頂壁の中には第一電磁空間が設置され、前記第一電磁空間の中には前記スライダと固定的に連結された第一永久磁石がスライドできるように設置され、前記第一電磁空間の左壁の中には第一電磁石が設置され、前記第一電磁石と前記第一永久磁石との間には第一撥条が弾性的に連結されており、前記動力装置は前記変速装置によって前記レーザーを揺動連動させ、又は前記収納装置によって猫じゃらしを伸び出し、猫をじゃらすことができる。
【０００６】
更なる技術方案、前記収納装置は前記主空間の中に設置された収納軸を含み、前記収納軸の後端には収納棒が設置され、前記収納棒と前記猫じゃらしとの間が伸び出し棒によってヒンジで連結され、前記収納軸の前端には従動歯車が設置され、前記主空間の中には縦軸が設置され、前記縦軸の後端には前記従動歯車と噛合した駆動歯車が設置され、前記縦軸の前端には後傘歯車が設置され、前記主空間の中にはスプライン軸が設置され、前記スプライン軸の底端には前記動力空間の中に位置しかつ前記動力歯車と噛合した左歯車が設置され、前記主空間の中には前記スプライン軸の外壁に位置したスライド軸が設置され、前記スライド軸の頂端には前記後傘歯車と噛合した上傘歯車が設置され、前記スライド軸の底端には下傘歯車が設置され、前記スライド軸の外壁には回転ブロックが回転できるように設置され、前記主空間の右壁の中には第二電磁空間が設置され、前記第二電磁空間の中には前記回転ブロックと固定的に連結された第二永久磁石がスライドできるように設置され、前記第二電磁空間の頂壁の中には第二電磁石が設置され、前記第二電磁石と前記第二永久磁石との間には第二撥条が弾性的に設置されており、前記収納装置は前記猫じゃらしを収納し又は伸びさせる。
【０００７】
更なる技術方案、前記揺れ装置は前記主空間の中に設置された上軸を含み、前記上軸の後端には前記収納棒と接触したカムが設置され、前記上軸の前端には上プーリが設置され、前記主空間の中には下軸が設置され、前記下軸の前端には下プーリが設置され、前記下プーリと前記上プーリとの間には第一ベルトが伝動できるように設置され、前記下軸の後端には前傘歯車が設置され、前記主空間の中には横軸が設置され、前記横軸の左端には前記前傘歯車と噛合した左傘歯車が設置され、前記横軸の右端には前記下傘歯車と噛合した右傘歯車が設置されており、前記揺れ装置は前記猫じゃらしを断続的に揺リ、猫をじゃらす。
【０００８】
更なる技術方案、前記変速装置は前記変速空間の中に設置された駆動軸を含み、前記駆動軸の底端には前記動力空間の中に位置した右歯車が設置され、前記駆動軸の頂端には駆動輪が設置され、前記変速空間の中には従動軸が設置され、前記従動軸の頂端には前記回転空間の中に位置した回転盤が設置され、前記従動軸の外壁には前記回転空間の中に位置した駆動プーリが設置され、前記従動軸の底端には従動輪が設置され、前記変速空間の頂壁の中には伝動空間が設置され、前記従動軸の外壁には前記伝動空間の中に位置した左プーリが設置され、前記伝動空間の中には変速軸が設置され、前記変速軸の頂端には右プーリが設置され、前記右プーリと前記左プーリとの間には第二ベルトが伝動できるように設置され、前記変速軸の底端には変速盤が設置され、前記伝動空間の底壁の中にはスライド空間が設置され、前記スライド空間の中にはスライド棒がスライドできるように設置され、前記スライド棒の底端には前記変速空間の中に位置しかつ前記従動輪及び前記駆動輪と接触した伝動輪が設置され、前記変速盤と前記スライド棒との間が縄によって固定的に連結され、前記スライド棒と前記スライド空間の底壁との間には第三撥条が弾性的に設置されており、前記変速装置は前記従動軸の転速を変えられる。
【０００９】
更なる技術方案、前記回転装置には前記回転空間の中に設置されかつ前記頂ブロックと固定的に連結された中空軸が含まれ、前記中空軸の底端には回転歯車が設置され、前記回転空間の中には前記回転歯車と噛合したラックがスライドできるように設置され、前記ラックと前記回転盤の頂壁との間が連結棒によってヒンジで連結されており、前記揺動装置は前記往復空間の中に設置された中心軸を含み、前記中心軸の頂端には冠歯車が設置され、前記中心軸の底端には前記回転空間の中に位置した従動プーリが設置され、前記従動プーリと前記駆動プーリとの間には第三ベルトが伝動できるように設置され、前記揺動空間の中には前記レーザーと固定的に連結された揺動軸が設置され、前記揺動軸の前端には従動傘歯車が設置され、前記往復空間の中には往復軸が設置され、前記往復軸の左端には前記揺動空間の中に位置しかつ前記従動傘歯車と噛合した駆動傘歯車が設置され、前記往復軸の外壁には前記往復空間の中に位置した正歯車が設置され、前記往復軸の右端には前記冠歯車と噛合した反歯車が設置されており、前記回転装置と前記揺動装置とが前記レーザーのレーザの軌跡を不規律に変え、猫をじゃらすことができる。
【発明の効果】
【００１０】
本発明の有益な効果は下記の通りである：
【００１１】
本発明は構造が簡単で、操作が便利で、修理が便利で、二つの方式で猫をじゃらし、猫に刻々に遊ぶ興味を維持させ、飼い猫のの寂しさを紛らわし、そのため、この設備は高い使用と普及する価値がある。
【図面の簡単な説明】
【００１２】
発明実施例或いは現有技術の技術プランをもっとはっきり説明できるため、以下は実施例或いは現有技術の説明に使われる付図を簡単に紹介する。
【図１】図１は本発明の猫用玩具の初期状態の全体構造模式図
【図２】図２は本発明の猫用玩具の猫じゃらしが伸びている時の全体構造模式図
【図３】図３は図１の中のＡ−Ａの構造模式図
【図４】図４は図１のＢの構造模式図
【図５】図５は図１のＣの構造模式図
【図６】図６は図５のＤの構造模式図
【発明を実施するための形態】
【００１３】
以下は上記附図について本発明にを詳しく説明し、その中、便利に叙述するように、後文に出る方位を下記の通りに規定する：後文に出る上下左右前後方向は図１本体の投影関係の上下左右前後方向と一致する。
【００１４】
図１−６のように、本発明の猫用玩具は、台座１２を含み、前記台座１２の頂端には頂ブロック１１が回転できるように設置され、前記台座１２の中には主空間１５が設置され、前記主空間１５の中には猫じゃらし１４が回転できるように設置され、前記主空間１５の中には前記猫じゃらし１４を収納できる収納装置１００が設置され、前記主空間１５の中には前記猫じゃらし１４を揺らせる揺れ装置２００が設置され、前記主空間１５の右壁の中には動力空間５４が設置され、前記主空間１５の右壁の中には変速空間１７が設置され、前記変速空間１７の中には変速装置３００が設置され、前記主空間１５の頂壁の中には回転空間３８が設置され、前記回転空間３８の中には前記頂ブロック１１を回転させる回転装置４００が設置され、前記頂ブロック１１の中には揺動空間９９が設置され、前記揺動空間９９の中にはレーザを放射するレーザー２４が設置され、前記揺動空間９９の右壁の中には往復空間３０が設置され、前記往復空間３０の中には前記レーザー２４を回転させる揺動装置５００が設置され、前記動力空間５４の中には動力装置６００が設置され、前記動力装置６００は前記動力空間５４の中にスライドできるように設置されたスライダ７８を含み、前記スライダ７８の中にはモーター１９が設置され、前記動力空間５４の中には前記モーター１９と伝動できるように連結された動力軸５６が設置され、前記動力軸５６の底端には動力歯車５７が設置され、前記動力空間５４の頂壁の中には第一電磁空間８１が設置され、前記第一電磁空間８１の中には前記スライダ７８と固定的に連結された第一永久磁石７９がスライドできるように設置され、前記第一電磁空間８１の左壁の中には第一電磁石８２が設置され、前記第一電磁石８２と前記第一永久磁石７９との間には第一撥条８０が弾性的に連結されており、前記動力装置６００は前記変速装置３００によって前記レーザー２４を揺動連動させ、又は前記収納装置１００によって猫じゃらし１４を伸び出し、猫をじゃらすことができる。
【００１５】
有益なように、前記収納装置１００は前記主空間１５の中に設置された収納軸７７を含み、前記収納軸７７の後端には収納棒２２が設置され、前記収納棒２２と前記猫じゃらし１４との間が伸び出し棒２３によってヒンジで連結され、前記収納軸７７の前端には従動歯車７４が設置され、前記主空間１５の中には縦軸７３が設置され、前記縦軸７３の後端には前記従動歯車７４と噛合した駆動歯車７１が設置され、前記縦軸７３の前端には後傘歯車７２が設置され、前記主空間１５の中にはスプライン軸５９が設置され、前記スプライン軸５９の底端には前記動力空間５４の中に位置しかつ前記動力歯車５７と噛合した左歯車５８が設置され、前記主空間１５の中には前記スプライン軸５９の外壁に位置したスライド軸６９が設置され、前記スライド軸６９の頂端には前記後傘歯車７２と噛合した上傘歯車７０が設置され、前記スライド軸６９の底端には下傘歯車６６が設置され、前記スライド軸６９の外壁には回転ブロック６８が回転できるように設置され、前記主空間１５の右壁の中には第二電磁空間８５が設置され、前記第二電磁空間８５の中には前記回転ブロック６８と固定的に連結された第二永久磁石８３がスライドできるように設置され、前記第二電磁空間８５の頂壁の中には第二電磁石８６が設置され、前記第二電磁石８６と前記第二永久磁石８３との間には第二撥条８４が弾性的に設置されており、前記収納装置１００は前記猫じゃらし１４を収納し又は伸びさせる。
【００１６】
有益なように、前記揺れ装置２００は前記主空間１５の中に設置された上軸７５を含み、前記上軸７５の後端には前記収納棒２２と接触したカム２１が設置され、前記上軸７５の前端には上プーリ７６が設置され、前記主空間１５の中には下軸６４が設置され、前記下軸６４の前端には下プーリ６３が設置され、前記下プーリ６３と前記上プーリ７６との間には第一ベルト６７が伝動できるように設置され、前記下軸６４の後端には前傘歯車６２が設置され、前記主空間１５の中には横軸６５が設置され、前記横軸６５の左端には前記前傘歯車６２と噛合した左傘歯車６１が設置され、前記横軸６５の右端には前記下傘歯車６６と噛合した右傘歯車６０が設置されており、前記揺れ装置２００は前記猫じゃらし１４を断続的に揺リ、猫をじゃらす。
【００１７】
有益なように、前記変速装置３００は前記変速空間１７の中に設置された駆動軸２０を含み、前記駆動軸２０の底端には前記動力空間５４の中に位置した右歯車５５が設置され、前記駆動軸２０の頂端には駆動輪１８が設置され、前記変速空間１７の中には従動軸１３が設置され、前記従動軸１３の頂端には前記回転空間３８の中に位置した回転盤３７が設置され、前記従動軸１３の外壁には前記回転空間３８の中に位置した駆動プーリ３９が設置され、前記従動軸１３の底端には従動輪１６が設置され、前記変速空間１７の頂壁の中には伝動空間４７が設置され、前記従動軸１３の外壁には前記伝動空間４７の中に位置した左プーリ４３が設置され、前記伝動空間４７の中には変速軸４６が設置され、前記変速軸４６の頂端には右プーリ４５が設置され、前記右プーリ４５と前記左プーリ４３との間には第二ベルト４４が伝動できるように設置され、前記変速軸４６の底端には変速盤４８が設置され、前記伝動空間４７の底壁の中にはスライド空間５２が設置され、前記スライド空間５２の中にはスライド棒５０がスライドできるように設置され、前記スライド棒５０の底端には前記変速空間１７の中に位置しかつ前記従動輪１６及び前記駆動輪１８と接触した伝動輪５３が設置され、前記変速盤４８と前記スライド棒５０との間が縄４９によって固定的に連結され、前記スライド棒５０と前記スライド空間５２の底壁との間には第三撥条５１が弾性的に設置されており、前記変速装置３００は前記従動軸１３の転速を変えられる。
【００１８】
有益なように、前記回転装置４００には前記回転空間３８の中に設置されかつ前記頂ブロック１１と固定的に連結された中空軸３４が含まれ、前記中空軸３４の底端には回転歯車３５が設置され、前記回転空間３８の中には前記回転歯車３５と噛合したラック４２がスライドできるように設置され、前記ラック４２と前記回転盤３７の頂壁との間が連結棒３６によってヒンジで連結されており、前記揺動装置５００は前記往復空間３０の中に設置された中心軸３３を含み、前記中心軸３３の頂端には冠歯車３２が設置され、前記中心軸３３の底端には前記回転空間３８の中に位置した従動プーリ４１が設置され、前記従動プーリ４１と前記駆動プーリ３９との間には第三ベルト４０が伝動できるように設置され、前記揺動空間９９の中には前記レーザー２４と固定的に連結された揺動軸２６が設置され、前記揺動軸２６の前端には従動傘歯車２５が設置され、前記往復空間３０の中には往復軸２８が設置され、前記往復軸２８の左端には前記揺動空間９９の中に位置しかつ前記従動傘歯車２５と噛合した駆動傘歯車２７が設置され、前記往復軸２８の外壁には前記往復空間３０の中に位置した正歯車２９が設置され、前記往復軸２８の右端には前記冠歯車３２と噛合した反歯車３１が設置されており、前記回転装置４００と前記揺動装置５００とが前記レーザー２４のレーザの軌跡を不規律に変え、猫をじゃらすことができる。
【００１９】
本発明の設備を使う時、モーター１９が作動して動力軸５６によって動力歯車５７を回転連動させ、それにより左歯車５８と、スプライン軸５９と、スライド軸６９と、上傘歯車７０と、後傘歯車７２と、縦軸７３と、駆動歯車７１と、従動歯車７４と、収納軸７７によって収納棒２２を回転連動させ、それにより伸び出し棒２３によって猫じゃらし１４を伸び出し、そして、第二電磁石８６が通電して第二永久磁石８３と、回転ブロック６８によって下傘歯車６６を下にスライド連動させ、下傘歯車６６と右傘歯車６０とが噛合し、それによりスライド軸６９が下傘歯車６６と、右傘歯車６０と、横軸６５と、左傘歯車６１と、前傘歯車６２と、下軸６４と、下プーリ６３と、上プーリ７６と、上軸７５とによってカム２１を回転連動させ、それにより猫じゃらし１４を連動させて断続的に揺れさせ、
十または二十分後、第一電磁石８２が通電して第一永久磁石７９と、スライダ７８によってモーター１９を右に移動連動させ、動力歯車５７と右歯車５５とが噛合し、それにより動力歯車５７が右歯車５５と、駆動軸２０と、駆動輪１８と、伝動輪５３と、従動輪１６と、従動軸１３と、回転盤３７と、連結棒３６と、ラック４２と、回転歯車３５と、中空軸３４によって頂ブロック１１を往復に回転連動させ、同時に、従動軸１３が駆動プーリ３９と、従動プーリ４１と、中心軸３３と、冠歯車３２と、正歯車２９（反歯車３１）と、往復軸２８と、駆動傘歯車２７と、従動傘歯車２５と、揺動軸２６によってレーザー２４を上下に揺動連動させ、レーザー２４の発射したレーザの軌跡を変え、猫をじゃらす。
【００２０】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。